(57)【特許請求の範囲】
【請求項１】
頂部と該頂部先端から垂下する垂下部とからなり、該垂下部の表面に縦断面が鋸状となるように形成されると共に、前記頂部から流れ落ちてきた水滴を前記垂下部の表面における前記鋸状の山の先端部をかすめるようにして落下させる溝を形成したことを特徴とする建物外装部の水切り部材。
【請求項２】
頂部と該頂部先端から垂下する垂下部とからなり、該垂下部の表面に縦断面が鋸状となるように溝を形成し、前記頂部から流れ落ちてきた水滴を前記垂下部の表面における前記鋸状の山の先端部をかすめるようにして落下させることを特徴とする建物外装部の水切り部材の雨垂れ汚れの防止方法。
【発明の詳細な説明】
【技術分野】
【０００１】
本発明は、雨がかりとなる建物の外装部に設けられる水切り部材、及び、水切り部材の雨垂れ汚れの防止方法に関するものである。
【背景技術】
【０００２】
従来より、建物のパラペットや腰壁手摺等には、上端部に堆積した塵埃が雨水とともに流れ出し外壁を伝うことで形成される雨垂れ汚れを防止する為、或いはパラペットや腰壁手摺等に雨水が侵入することを防止する為に、笠木部材（広義の水切り部材の一種）を設けるのが一般的である。笠木部材は、上向き面を覆う頂部と、頂部の先端から垂下し側面を覆う垂下部とで構成される。
【０００３】
笠木部材の頂部には塵埃が堆積しやすく、降雨の際には雨水とともに塵埃が垂下部の表面を伝って流れ落ち、その一部が垂下部の表面に残留、付着して筋状の雨垂れ汚れを形成し、外壁の汚れを防止する笠木部材自体が見苦しくなり建物の美観に悪影響を及ぼすという問題があった。なお、建物の美観を考える場合、建物付近の路上を通行する歩行者等の目線で建物を観察した場合の配慮が重要であるが、歩行者等から観察した場合、階上に位置するパラペットや腰壁手摺に設けられた笠木部材の頂部の汚れは目につかないが、垂下部の汚れは目につきやすく建物の美観に大きな影響を与える。
【０００４】
上記問題は笠木部材に限らず、例えば、窓や外壁の下端部などに設けられて窓や外壁の表面を伝って流れ落ちてくる雨水を受け止めその下方の部位を雨垂れ汚れの付着や雨水の浸入から保護する為に設置される水切り部材（狭義の水切り部材）においても生じる問題であった。
【０００５】
特許文献１には外壁材下端に設置する水切り材の水切り傾斜片に雨垂れ汚れが付着しないように、細巾の凹乃至凸の横筋部を形成する技術が開示されている。この水切り材によれば、縦方向に流れた雨水が横筋部に滞留し横字部筋部に沿って横方向に移動し、大きな水滴となった状態で落下するので縦方向の筋状の雨垂れ汚れを防ぐことができる、とされている。
【０００６】
【特許文献１】特開２００１−１２３５４６号公報
【発明の開示】
【発明が解決しようとする課題】
【０００７】
しかし、上記構成では、雨水が大きな水滴となった状態で上段の横筋部から下段の横筋部に向って集約されて流れることで雨垂れの筋の数が減少することは考えられるものの、隣接する横筋部の間にはフラットな面が存在しこの部位には雨垂れ汚れは相変わらず形成されるので、雨垂れ汚れの問題を解消し得るものではなかった。そして、特に略垂直な面からなる水切り部材の垂下部に適用した場合は、水滴の横溝部への滞留効果が薄れて大きく成長することなく流れ落ちてしてしまい、筋の数の減少はさほど期待できない、という問題があった。
【０００８】
本発明は、上記従来技術の問題点を解決し、垂下部に形成される雨垂れ汚れによって美観を損ねることがない建物外装部の水切り部材、及び、水切り部材の雨垂れ汚れの防止方法を提供することを目的とするものである。
【課題を解決するための手段】
【０００９】
上記課題を解決する為の本発明に係る建物外装部の水切り部材の構成は、頂部と該頂部先端から垂下する垂下部とからなり、該垂下部の表面に縦断面が鋸状となるように形成されると共に、頂部から流れ落ちてきた水滴を垂下部の表面における鋸状の山の先端部をかすめるようにして落下させる溝を形成したことを特徴とする。
また、上記課題を解決する為の本発明に係る建物外装部の水切り部材の雨垂れ汚れ防止方法は、頂部と該頂部先端から垂下する垂下部とからなり、該垂下部の表面に縦断面が鋸状となるように溝を形成し、頂部から流れ落ちてきた水滴を垂下部の表面における鋸状の山の先端部をかすめるようにして落下させることを特徴とする。
【発明の効果】
【００１０】
押し出し形材の特性を利用して垂下部の表面の長手に縦断面が鋸状となるように溝を形成したので、金属光沢が抑えられ平滑な面には見えず、また、溝によって規則的に陰となる部分が形成される。従って、汚れが付着したとしても目立つことがない。
【００１１】
また、溝のピッチが細かいために降雨時に垂下部を伝って落下する水滴は溝の底部にまで入り込むことなく、垂下部との接触の度合いが小さい状態で落下するので、ほぼ鉛直に最短距離を速い速度で落下する。従って、水滴に含まれる塵埃が垂下部の表面に残留、付着しにくくなり美観を保つことができる。
【発明を実施するための最良の形態】
【００１２】
次に、本発明に係る建物外装部の水切り部材、及び、水切り部材の雨垂れ汚れ防止方法の好ましい実施形態について図を用いて説明する。
【実施例１】
【００１３】
まず、第１実施例について図１〜図３を用いて説明する。本実施例は腰壁手摺上端部に設置された笠木部材における例であり、図１は笠木部材の断面図、図２は溝が形成された垂下部の拡大図、及び垂下部に沿って雨水が落下する様子を示した図、図３は従来の垂下部表面が平滑な垂下部に沿って雨水が落下する様子を示す図である。
【００１４】
図１に示すように、笠木部材Ａは、階上の外廊下の周縁部に形成されたＡＬＣ（軽量気泡コンクリート）パネルからなる腰壁手摺Ｂの上端部に取り付けられている。笠木部材Ａは、アルミニウムの押し出し型材であり、略コ字状の断面を有し、頂部１と頂部１の両端から垂下する垂下部２、２´とからなる。
【００１５】
図２に示すように、笠木部材Ａは押し出し成形されたのち、垂下部２の表面長手方向に押し出し成形によってＶ字状の水平な溝３が連続的に形成され、縦断面は鋸状となっている。また、溝３は垂下部２の上端から下端まで全面的に形成されている。なお、本実施例における溝３の幅（図中の寸法ｗ）は０．７ｍｍ、深さ（図中の寸法ｄ）は０．２５ｍｍである。また、図２には図示しない垂下部２´の表面にも同様の溝３が形成されている。
【００１６】
垂下部２、２´にはこのような溝３が形成されているので、金属光沢が抑えられ平滑な面には見えず、また、溝３によって規則的に陰となる部分が形成される。従って、汚れが付着したとしても目立つことがない。
【００１７】
また降雨時、頂部１から流れ落ちてきた塵埃等を含んだ水滴７は、垂下部２の表面が平滑な場合、図３に示すように、垂下部２の表面との接触面積が大きな状態で落下する為、接触面での抵抗により比較的ゆっくりとした速度で落下する。水滴７の落下の速度が遅いので落下の途中で水滴７に含まれる塵埃が垂下部２、の表面に滞留、付着しやすくなる。また、水滴７が落下する方向は、垂下部２の表面の状態に影響され、それまでに垂下部２表面に付着した塵埃によって形成された雨垂れ汚れが水道（みずみち）を形成し、水滴７は水道に沿って落下し水道に沿った雨垂れ汚れが更に進行する。
【００１８】
これに対し垂下部に溝３が形成されている場合は、図２に示すように、水滴７が溝３の奥深くまわり込むことなく、先端部４をかすめるようにして鉛直下方に落下する。この場合、垂下部２の水滴７に接触する部分がわずかであることと、水滴７が垂下部２と接触する面積が小さく落下速度が速まることにより、垂下部２表面に塵埃が残留、付着しにくい。また、付着したとしても、それは断続的なものであり、水道として認識されにくく、美観に影響を与えにくい。
【００１９】
なお、溝３の上向き面３ａには空気中に浮遊する塵埃も堆積する虞があるが、建物付近の路上を通行する歩行者が建物を見上げた場合、笠木部材Ａのうち外部に面する垂下部２が視野に入るが、汚染された上向き面３ａは視認されず、汚染されていない下向き面３ｂのみが視認される。歩行者等に対して垂下部が汚れて見苦しいという印象を与えることがない。
【００２０】
また、従来の笠木部材の場合、太陽光の反射によるハレーションが生じ、歩行者からみた場合、笠木の垂下部の一部が白く飛んで見えて美観に悪影響を与えたり、歩行者が眩しく感じたりすることがあるが、本実施例のように溝３をＶ字状に形成すると太陽光は溝３の下向き面で反射しその反射光は上方に向うので、下方から見上げる歩行者がハレーションを認識することがなく、このような問題は生じる虞がない。
【００２１】
また、笠木部材として表面が平滑な金属を用いた場合、同じ材料であっても反射して表面に映るものによって、金属光沢が視認される部分と（明るいものが反射している場合）、暗く影のように見える部分（暗いものが反射している場合）が生じるが、両者の明るさのギャップが大きく、意匠計画として失敗するケースがある。しかし、本発明の笠木部材の金属光沢が抑えられているのでこのようなことがなく、常に一定の意匠を表現することができる。
【実施例２】
【００２２】
続いて第２実施例について図４を用いて説明する。本実施例は窓の下端部に設けられた水切り部材における例であり、図４は水切り部材の断面図である。
【００２３】
図４に示す水切り部材Ｃは、窓Ｅの下端部に設置され、主に窓Ｄの表面に付着した塵埃が雨水とともに流れ落ちて窓Ｄの下方の壁Ｅに雨垂れ汚れが付着することを防ぐものである。水切り部材Ｃは、外方向に傾斜した頂部５と頂部５の先端から垂下した垂下部６とからなり、垂下部６の表面には第１実施例と同様の溝が形成されており、第１実施例と同様の作用効果が発揮される。
【００２４】
以上２つの実施例について説明したが、この他にも、外壁面から突出したシャッターボックスや庇等の先端の垂下部等にも適用することが可能であり、同様の作用効果を発揮される。
【産業上の利用可能性】
【００２５】
本発明は建築物に限らず、雨水が流れ落ちる略垂直な面に断面鋸状となるように溝を形成することが可能な鉄塔、橋梁等にも適用することが可能である。
【図面の簡単な説明】
【００２６】
【図１】第１実施例における笠木部材の断面図である。
【図２】溝が形成された垂下部表面の拡大図、及び垂下部を雨水が流れ落ちる様子を示した図である。
【図３】従来の、溝が形成されていない垂下部表面の拡大図、及び垂下部を雨水が流れ落ちる様子を示した図である。
【図４】第２実施例における水切り部材の断面図である。
【符号の説明】
【００２７】
Ａ…笠木部材
Ｂ…腰壁
Ｃ…水切り部材
Ｄ…窓
Ｅ…壁
１、５…頂部
２、２´、６…垂下部
３…溝
３ａ…下向き面
３ｂ…上向き面
４…先端部
７…水滴
【図１】
0005295591.tif 000002
【図２】
0005295591.tif 000003
【図３】
0005295591.tif 000004
【図４】
0005295591.tif 000005